(57)【要約】      （修正有）【課題】つけまつげの接着面に密着させた状態で擦って塗布すると、接着剤が流れ出てつけまつげに塗布されるつけまつげ接着剤塗布用スティックを提供する。【解決手段】塗布用スティック１００と、塗布用スティック１００の下端に形成され、つけまつげの接着面に密着させて接着剤を塗布する塗布用溝１１０、及び塗布用スティック１００下部の内側に形成され、塗布用溝１１０と連結される空気流通ホール１２０で構成されている。塗布用スティック１００は、多角形又は円筒形態であり、塗布用スティック１００の下部に行くほど外径が小さくなるテーパー形状からなっている。また、塗布用スティック１００下部には、空気流通ホール１２０と連結される空気孔１２２が形成され、空気孔１２２は塗布用スティック１００を貫通して形成される。【選択図】図２
0003201169.tif 000002
【実用新案登録請求の範囲】
【請求項１】
つけまつげ（４００）に接着剤を塗布する塗布用スティック（１００）と、
前記塗布用スティック（１００）の下端に形成され、つけまつげ（４００）の接着面（４１０）に密着させて接着剤を塗布する塗布用溝（１１０）と、
前記塗布用スティック（１００）下部の内側に形成され、前記塗布用溝（１１０）と連結される空気流通ホール（１２０）と
を含むことを特徴とするつけまつげ接着剤塗布用スティック。
【請求項２】
前記塗布用スティック（１００）下部の一側には、前記空気流通ホール（１２０）と連結されて外部空気を流入させる空気孔（１２２）が形成され、前記空気孔（１２２）は１つ形成されて塗布用スティック（１００）の中央までのみ形成される、請求項１に記載のつけまつげ接着剤塗布用スティック。
【請求項３】
前記塗布用スティック（１００）下部には、前記空気流通ホール（１２０）と連結されて外部空気を流入させる空気孔（１２２）が形成され、前記空気孔（１２２）は１つ又は２つ形成されて塗布用スティック（１００）を貫通する、請求項１に記載のつけまつげ塗布用スティック。
【請求項４】
前記塗布用溝（１１０）の幅と深さは、０．３ｍｍないし１．２ｍｍに形成される、請求項１乃至３のいずれか一項に記載のつけまつげ接着剤塗布用スティック。
【請求項５】
前記塗布用溝（１１０）は、直線又は十字形態に形成される、請求項１乃至４のいずれか一項に記載のつけまつげ接着剤塗布用スティック。
【請求項６】
前記空気流通ホール（１２０）の長さは０．５ｍｍないし５．０ｍｍに形成され、前記空気流通ホール（１２０）の内径は０．７ｍｍないし２．０ｍｍに形成される、請求項１乃至５のいずれか一項に記載のつけまつげ接着剤塗布用スティック。
【請求項７】
前記塗布用スティック（１００）は、熱硬化性樹脂又は熱可塑性樹脂で形成され、前記熱硬化性樹脂は、エポキシ（ｅｐｏｘｙ）樹脂、アミノ樹脂、フェノール（ｐｈｅｎｏｌ）樹脂、ポリエステル（Ｐｏｌｙｅｓｔｅｒ）樹脂のうちいずれか一つ以上の材質からなり、前記熱可塑性樹脂は、ポリエチレン（Ｐｏｌｙｅｔｈｙｌｅｎｅ）、アクリル樹脂（Ａｃｒｙｌｉｃ）、ポリプロピレン（Ｐｏｌｙｐｒｏｐｙｌｅｎｅ）、ポリスチレン（Ｐｏｌｙｓｔｙｒｅｎｅ）、ポリビニルクロライド（Ｐｏｌｙｖｉｎｙｌ  ｃｈｌｏｒｉｄｅ）、テフロン（Ｔｅｆｌｏｎ、登録商標）、ナイロン（Ｎｙｌｏｎ）、ポリアセタール樹脂のうちいずれか一つ以上の材質からなる、請求項１乃至６のいずれか一項に記載のつけまつげ接着剤塗布用スティック。
【請求項８】
前記塗布用スティック（１００）は、接着剤が収容された容器本体（２００）を開閉する容器ふた（３００）の内側中央に形成される、請求項１乃至７のいずれか一項に記載のつけまつげ接着剤塗布用スティック。
【請求項９】
前記容器ふた（３００）の外周縁には、多数の滑り止め突起（３１０）が形成される、請求項８に記載のつけまつげ接着剤塗布用スティック。
【考案の詳細な説明】
【技術分野】
【０００１】
本考案は、つけまつげ（人工まつ毛）接着剤塗布用スティックに関するものであり、さらに詳しくは、つけまつげに接着剤を塗布する塗布用スティックを形成し、前記塗布用スティックの下端に塗布用溝を形成し、前記塗布用溝と連結される空気流通ホールを形成することにより、前記塗布用スティックをつけまつげ接着剤に浸けてから抜くと、前記塗布用溝と空気流通ホールに接着剤が入り、前記塗布用溝をつけまつげの接着面に密着させた状態で擦って塗布すると、前記塗布用溝と空気流通ホールに入っていた接着剤が流れ出てつけまつげに塗布されるつけまつげ接着剤塗布用スティックに関するものである。
【背景技術】
【０００２】
一般的に、人を見る時には大部分が目を一番先に見るものであるが、このような目は人の第一印象を大きく左右するようになる。
【０００３】
このような理由から、女性たちは化粧をする際に目の化粧に大きな比重を置いており、アイライナー、マスカラ、アイシャドウ、二重まぶたテープ、つけまつげ等のような多様な化粧品や化粧道具を使用して目を美しく整え自分の顔を魅力的に作るようになる。
【０００４】
前記つけまつげ（ａｒｔｉｆｉｃｉａｌ  ｅｙｅｌａｓｈｅｓ）は、人工毛髪や人の毛髪で作って、自分のまつげの代わりに、又はその上に付けるように作ったまつげであり、まつげの長さを長く豊かにして女性の目元をはっきりさせ魅力的に見えるようにする効果があり、女性の間で広く使用されている。
【０００５】
このようなつけまつげは、チューブ容器内に収容されている接着剤を絞り出して、接着しようとするまぶた部位に前記接着剤を塗布した後、接着剤が塗布された部位につけまつげの連結部を付着するか、つけまつげの連結部に接着剤をむらなく塗布した後、まぶた部位に付着して使用するのが一般的であった。
【０００６】
しかし、前記方法によってつけまつげを付着する場合、使用者のまぶた又は目の縁に沿って接着剤が全体的に塗布されるので、前記接着剤が使用者のまつげ全体に付いてまつげの形態が不自然になる問題があった。
【０００７】
また、つけまつげを付着するために使用される接着剤には、人体に有害なホルムアルデヒドという化学成分が含まれ、目の周囲に接着剤を塗布したり、接着剤が塗布されたつけまつげを付着したりする場合、目の周囲の皮膚に皮膚疾患や皮膚の副作用を起こす問題があった。
【０００８】
前記のような問題点を解決するために、図１に示すように、大韓民国公開実用新案実１９９８−０１５７８３号でつけまつげ及び二重まぶたの接着剤塗布用スティックが開示されている。前記従来技術は、接着剤が収容される容器本体１と、前記容器本体１と結合・分離するふた用取っ手２と、前記ふた用取っ手２に結合されたスティック３、及び前記スティック３の先端部に形成された溝４からなっており、前記スティック３の溝４がつけまつげに挿入された状態で移送しながら接着剤を塗布するので、つけまつげ及び二重まぶたに精密に接着剤を塗布することができる。
【０００９】
しかし、前記従来技術は、接着剤が収容されている容器本体１からスティック３を引き出してつけまつげに接着剤を塗布する際、前記スティック３の先端部に形成された溝４に少量の接着剤が付くだけなので、使用者が容器本体１内部にスティック３を出し入れして前記スティック３の溝４に接着剤を付けてからつけまつげに塗布する作業を反復的にしなければならない不便さがあり、また何回かにわたって接着剤をつけまつげに塗布する過程で、先に塗布された接着剤が固まってしまってつけまつげが使えなくなる問題点があった。
【先行技術文献】
【特許文献】
【００１０】
【特許文献１】大韓民国公開実用新案実１９９８−０１５７８３号
【考案の概要】
【考案が解決しようとする課題】
【００１１】
本考案は、前記のような問題点を解決するために創作されたもので、つけまつげに接着剤を塗布する塗布用スティックを形成し、前記塗布用スティックの下端に塗布用溝を形成し、前記塗布用溝と連結される空気流通ホールを形成することにより、前記塗布用スティックをつけまつげ接着剤に浸けてから抜けば、前記塗布用溝と空気流通ホールに接着剤が入り、前記塗布用溝をつけまつげの接着面に密着させた状態で擦って塗布すると、前記塗布用溝と空気流通ホールに入った接着剤が流れ出てつけまつげに塗布されるつけまつげ接着剤塗布用スティックを提供することを目的とする。
【課題を解決するための手段】
【００１２】
本考案は、つけまつげ４００に接着剤を塗布する塗布用スティック１００と、前記塗布用スティック１００の下端に形成され、つけまつげ４００の接着面４１０に密着させて接着剤を塗布する塗布用溝１１０、及び前記塗布用スティック１００下部の内側に形成され、前記塗布用溝１１０と連結される空気流通ホール１２０からなることを特徴とするつけまつげ接着剤塗布用スティックを提供する。
【００１３】
また、前記塗布用スティック１００下部の一側には、前記空気流通ホール１２０と連結されて外部空気を流入させる空気孔１２２が形成され、前記空気孔１２２は１つないし２つ形成されることが望ましい。
【００１４】
また、前記空気孔１２２は、塗布用スティック１００を貫通するか、塗布用スティック１００の中央付近までのみ形成されて前記空気流通ホール１２０と連通されることを特徴とする。
【００１５】
また、前記塗布用溝１１０の幅と深さは、０．３ｍｍないし１．２ｍｍに形成されることが望ましい。
【００１６】
また、前記塗布用溝１１０は、直線又は十字形態に形成されることが望ましい。
【００１７】
また、前記空気流通ホール１２０の長さは０．５ｍｍないし５．０ｍｍに形成され、前記空気流通ホール１２０の内径は０．７ｍｍないし２．０ｍｍに形成されることが望ましい。
【００１８】
また、前記塗布用スティック１００は、熱硬化性樹脂又は熱可塑性樹脂で形成されることができ、前記熱硬化性樹脂は、エポキシ（ｅｐｏｘｙ）樹脂、アミノ樹脂、フェノール（ｐｈｅｎｏｌ）樹脂、ポリエステル（Ｐｏｌｙｅｓｔｅｒ）樹脂のうちいずれか一つ以上の材質からなり、前記熱可塑性樹脂は、ポリエチレン（Ｐｏｌｙｅｔｈｙｌｅｎｅ）、アクリル樹脂（Ａｃｒｙｌｉｃ）、ポリプロピレン（Ｐｏｌｙｐｒｏｐｙｌｅｎｅ）、ポリスチレン（Ｐｏｌｙｓｔｙｒｅｎｅ）、ポリビニルクロライド（Ｐｏｌｙｖｉｎｙｌ  ｃｈｌｏｒｉｄｅ）、テフロン（Ｔｅｆｌｏｎ、登録商標）、ナイロン（Ｎｙｌｏｎ）、ポリアセタール樹脂のうちいずれか一つ以上の材質とすることができる。
【００１９】
また、前記塗布用スティック１００は、接着剤が収容された容器本体２００を開閉する容器ふた３００の内側中央に形成されることができる。
【００２０】
あわせて、前記容器ふた３００の外周縁には、多数の滑り止め突起３１０が形成されることができる。
【考案の効果】
【００２１】
前記のとおり、本考案に係るつけまつげ接着剤塗布用スティックは、塗布用スティックの下端に塗布用溝を形成し、前記塗布用溝と連結される空気流通ホールを形成することにより、前記塗布用スティックをつけまつげ接着剤に浸けてから抜けば、つけまつげの接着面全体に塗布することができる量の接着剤が前記塗布用溝と空気流通ホールに入るので、一回の作業でつけまつげの接着面全体に接着剤を塗布することができ、また、前記塗布用溝をつけまつげの接着面に密着させた状態で擦って塗布させれば、前記塗布用溝と空気流通ホールに入っていた接着剤が流れ出てつけまつげに塗布されるので、つけまつげの接着面に精密かつ容易に接着剤を塗布することができる効果がある。
【図面の簡単な説明】
【００２２】
【図１】従来のつけまつげ接着剤塗布用スティックの断面図である。
【図２】本考案の第１実施例に係るつけまつげ接着剤塗布用スティックの断面図である。
【図３】本考案の第１実施例に係るつけまつげ接着剤塗布用スティックを逆さにした状態の斜視図である。
【図４】本考案の第１実施例に係るつけまつげ接着剤塗布用スティックでつけまつげに接着剤を塗布する状態を示す斜視図である。
【図５】本考案の第１実施例に係るつけまつげ接着剤塗布用スティックでつけまつげに接着剤を塗布する状態を示す斜視図である。
【図６】本考案の第２実施例に係るつけまつげ接着剤塗布用スティックを逆さにした状態の斜視図である。
【図７】本考案の第３実施例に係るつけまつげ接着剤塗布用スティックを逆さにした状態の斜視図である。
【図８】本考案の第４実施例に係るつけまつげ接着剤塗布用スティックを逆さにした状態の斜視図である。
【図９】本考案の第５実施例に係るつけまつげ接着剤塗布用スティックの斜視図である。
【図１０】本考案の第５実施例に係るつけまつげ接着剤塗布用スティックの分離斜視図である。
【図１１】本考案の第５実施例に係るつけまつげ接着剤塗布用スティックの断面図である。
【考案を実施するための形態】
【００２３】
本考案に係るつけまつげ接着剤塗布用スティックの第１実施例を、添付図面を参照して説明すれば次のとおりである。
【００２４】
図２は本考案の第１実施例に係るつけまつげ接着剤塗布用スティックの断面図、図３は本考案の第１実施例に係るつけまつげ接着剤塗布用スティックを逆さにした（引っくり返した）状態の斜視図、図４と図５は本考案の第１実施例に係るつけまつげ接着剤塗布用スティックでつけまつげに接着剤を塗布する状態を示す斜視図である。
【００２５】
本考案は、つけまつげ４００に接着剤を塗布する塗布用スティック１００と、前記塗布用スティック１００の下端に形成され、つけまつげ４００の接着面４１０に密着させて接着剤を塗布する塗布用溝１１０、及び前記塗布用スティック１００下部の内側に形成され、前記塗布用溝１１０と連結される空気流通ホール１２０で構成されている。
【００２６】
前記塗布用スティック１００は、つけまつげ４００の一側に形成された接着面４１０につけまつげ接着剤を塗布するためのもので、多角形又は円筒形態であり、図２に示すように、前記塗布用スティック１００の下部に行くほど外径（円筒形の物体の外側の直径）が小くなるテーパー形状からなっている。
【００２７】
また、前記塗布用スティック１００下部には、前記空気流通ホール１２０と連結される空気孔１２２が形成され、前記空気孔１２２は塗布用スティック１００を貫通して形成される。前記塗布用スティック１００下部の一側に、空気孔１２２の開口が形成され、この空気孔１２２は塗布用スティック１００の他の側まで貫通する（他の側にも開口が形成される）。
【００２８】
前記空気孔１２２は、つけまつげ４００に接着剤を塗布する際、前記空気流通ホール１２０の内部にある接着剤が外部に容易に排出されるように外部空気を流入させる通路の役割を有するものとなる。
【００２９】
前記塗布用溝１１０は、つけまつげ４００の接着面４１０に接着剤を塗布するために塗布用スティック１００の下端に形成されており、塗布用溝１１０の中央には、接着剤を排出する空気流通ホール１２０が連通されている。
【００３０】
前記塗布用溝１１０をつけまつげ４００の接着面４１０に密着させて移動しながら接着剤を塗る際、空気流通ホール１２０と空気孔１２２に入っていた接着剤が排出されて前記接着面４１０に塗布されるようになる。
【００３１】
前記塗布用溝１１０の幅と深さは、０．３ｍｍないし１．２ｍｍに形成されることが望ましい。
【００３２】
前記塗布用溝１１０の幅と深さが０．３ｍｍ未満の場合、前記接着面４１０の厚さより塗布用溝１１０の幅と深さが小さく、接着剤の塗布時に前記塗布用溝１１０がつけまつげ４００の接着面４１０を囲んで密着させることができず、接着剤が接着面４１０に充分に塗布されることができない。また、前記塗布用溝１１０の幅と深さが１．２ｍｍを超過する場合、前記接着面４１０の厚さに比べて塗布用溝１１０の幅と深さが大きすぎ、接着面４１０に接着剤を塗布するために前記塗布用溝１１０を接着面４１０に密着して移動させる際、前記空気流通ホール１２０内の接着剤が垂れて接着面４１０以外の部分まで塗布されるため、つけまつげ４００を捨てることになる問題点がある。
【００３３】
前記空気流通ホール１２０は、塗布用スティック１００下部の内側に形成され、前記塗布用溝１１０と連結されて、前記塗布用スティック１００の塗布用溝１１０と空気流通ホール１２０内部に接着剤が入ってからつけまつげ４００に接着剤を塗布する際に、前記接着剤が外に流れ出るようにする役割を有するものとなる。
【００３４】
前記空気流通ホール１２０の長さは０．５ｍｍないし５．０ｍｍに形成され、前記空気流通ホール１２０の内径は０．７ｍｍないし２．０ｍｍに形成されることが望ましい。
【００３５】
前記空気流通ホール１２０の長さが０．５ｍｍ未満の場合、空気流通ホール１２０に入る接着剤の量が少なく、一回の作業でつけまつげ４００の接着面４１０全体に接着剤を塗布することができず、前記空気流通ホール１２０の長さが５ｍｍを超過する場合、空気流通ホール１２０に入る接着剤の量が多くなり重いため、前記塗布用スティック１００を移動させる途中で接着剤が零れ落ちる問題がある。
【００３６】
また、前記空気流通ホール１２０の内径が０．７ｍｍ未満の場合には、接着剤の粘度が高いため前記空気流通ホール１２０に入らなくなり、前記空気流通ホール１２０の内径が２．０ｍｍを超過する場合には、内径が大きすぎて接着剤をつけまつげ４００に塗布するために前記塗布用スティック１００を移動させる途中で空気流通ホール１２０内に入っていた接着剤が流れ出てしまう弊害がある。
【００３７】
前記塗布用スティック１００は、熱硬化性樹脂又は熱可塑性樹脂で形成されることができ、前記熱硬化性樹脂は、エポキシ（ｅｐｏｘｙ）樹脂、アミノ樹脂、フェノール（ｐｈｅｎｏｌ）樹脂、ポリエステル（Ｐｏｌｙｅｓｔｅｒ）樹脂のうちいずれか一つ以上の材質からなり、前記熱可塑性樹脂は、ポリエチレン（Ｐｏｌｙｅｔｈｙｌｅｎｅ）、アクリル樹脂（Ａｃｒｙｌｉｃ）、ポリプロピレン（Ｐｏｌｙｐｒｏｐｙｌｅｎｅ）、ポリスチレン（Ｐｏｌｙｓｔｙｒｅｎｅ）、ポリビニルクロライド（Ｐｏｌｙｖｉｎｙｌ  ｃｈｌｏｒｉｄｅ）、テフロン（Ｔｅｆｌｏｎ、登録商標）、ナイロン（Ｎｙｌｏｎ）、ポリアセタール樹脂のうちいずれか一つ以上の材質からなるものとすることができる。
【００３８】
前記塗布用スティック１００をつけまつげ接着剤に浸けると、接着剤が空気流通ホール１２０及び空気孔１２２に入っていき、塗布用スティック１００を抜き出して前記塗布用溝１１０をつけまつげ４００の接着面４１０に密着して移動させると、液体又はゲル形態である接着剤と固体形態のつけまつげの間に界面張力が作用するとともに、空気孔１２２から流入する外部空気によって前記塗布用溝１１０と空気流通ホール１２０に入っている接着剤がつけまつげ４００の接着面４１０に塗布される。
【００３９】
前記界面張力とは、互いに異なる形態、すなわち液体と固体の間に作用する張力（引き寄せる力）を意味する。
【００４０】
本考案に係るつけまつげ接着剤塗布用スティックの第１実施例で、図２ないし図５を参照して使用状態を詳しく説明すれば次のとおりである。
【００４１】
前記塗布用スティック１００を把持し、塗布用溝１１０部分をつけまつげ接着剤に浸すようになると、界面張力によって空気流通ホール１２０と空気孔１２２に接着剤が入っていくようになる。
【００４２】
つけまつげ４００に接着剤を塗布するために前記塗布用スティック１００を接着剤から抜き出した後、前記塗布用スティック１００の塗布用溝１１０をつけまつげ４００の接着面４１０に密着させ、前記塗布用溝１１０を接着面４１０に沿って移動させれば、接着剤とつけまつげ４００の接着面４１０間に、界面張力によって、前記空気流通ホール１２０と空気孔１２２に入っていた接着剤が外部に排出されながら前記接着面４１０に接着剤が均一に塗布される。
【００４３】
以下、第２実施例ないし第５実施例の使用方法は、第１実施例と同一であるため説明を省略することにする。
【００４４】
本考案に係るつけまつげ接着剤塗布用スティックの第２実施例を、図６を参照して説明すれば次のとおりである。
【００４５】
図６は本考案の第２実施例に係るつけまつげ接着剤塗布用スティックを逆さにした（引っくり返した）状態の斜視図である。
【００４６】
本考案の第２実施例の塗布用スティック１００と塗布用溝１１０及び空気流通ホール１２０は、第１実施例と同一で同一符号を使用し、以下説明を省略する。以下、第２実施例の空気孔１２２の形態について詳しく説明する。
【００４７】
前記空気孔１２２は、２つ形成される。前記空気孔１２２は、塗布用スティック１００下部の一側に形成され、前記空気流通ホール１２０と連結されて外部空気を空気流通ホール１２０に流入させるようになる。
【００４８】
前記空気孔１２２は、図６に示すように、それぞれ塗布用スティック１００を貫通するようになり、十字形態に形成され、空気流通ホール１２０の上部と連結される。これにより、外部空気が前記空気流通ホール１２０内部にさらに容易に流入する。
【００４９】
本考案に係るつけまつげ接着剤塗布用スティックの第３実施例を、図７を参照して説明すれば次のとおりである。
【００５０】
図７は本考案の第３実施例に係るつけまつげ接着剤塗布用スティックを逆さにした（引っくり返した）状態の斜視図である。
【００５１】
本考案の第３実施例の塗布用スティック１００と塗布用溝１１０及び空気流通ホール１２０は、第１実施例と同一で同一符号を使用し、以下説明を省略する。以下、第３実施例の空気孔１２２の形態について詳しく説明する。
【００５２】
前記空気孔１２２は、塗布用スティック１００下部の一側に形成され、前記空気流通ホール１２０の上部に連結されて外部空気を空気流通ホール１２０に流入させ、図７に示すように、空気孔１２２と空気流通ホール１２０は「Ｌ」字形態に形成される。
【００５３】
すなわち、前記空気孔１２２は、塗布用スティック１００を貫通せず塗布用スティック１００の中央までのみ形成されて前記空気流通ホール１２０と連通される。
【００５４】
本考案に係るつけまつげ接着剤塗布用スティックの第４実施例を、図８を参照して説明すれば次のとおりである。
【００５５】
図８は本考案の第４実施例に係るつけまつげ接着剤塗布用スティックを逆さにした（引っくり返した）状態の斜視図である。
【００５６】
本考案の第４実施例の塗布用スティック１００と空気流通ホール１２０は、第１実施例と同一で同一符号を使用し、以下説明を省略する。以下、第４実施例の塗布用溝１１０の形態について詳しく説明する。
【００５７】
前記塗布用溝１１０は塗布用スティック１００の下端に形成され、その中央で空気流通ホール１２０と連通されていて、つけまつげ４００の接着面４１０に密着して移動させながら接着剤を塗布するようになる。
【００５８】
本考案の塗布用溝１１０は、図８に示すように、２つ形成されており、前記２つの塗布用溝１１０が直角に交差している。
【００５９】
すなわち、前記塗布用溝１１０は十字形態に形成されているので、前記塗布用溝１１０をつけまつげ４００の接着面４１０に密着させようとする際、前記塗布用溝１１０と接着面４１０の方向が食い違ってもより容易に塗布用溝１１０を接着面４１０に密着させることができる。
【００６０】
本考案に係るつけまつげ接着剤塗布用スティックの第５実施例を、図９ないし図１１を参照して説明すれば次のとおりである。
【００６１】
図９は本考案の第５実施例に係るつけまつげ接着剤塗布用スティックの斜視図、図１０は本考案の第５実施例に係るつけまつげ接着剤塗布用スティックの分離斜視図、図１１は本考案の第５実施例に係るつけまつげ接着剤塗布用スティックの断面図である。
【００６２】
本考案の塗布用スティック１００は、接着剤が収容された容器本体２００を開閉する容器ふた３００の内側中央に形成されることができる。
【００６３】
前記容器本体２００は、接着剤が収容できるように内部に収容空間２１０が形成されており、上部には開口部２２０が形成されている。
【００６４】
前記容器ふた３００は、容器本体２００の開口部２２０に結合されて前記容器本体２００を開閉することにより、内部に収容されている接着剤が外部に露出したり揮発することを防止するようになる。
【００６５】
また、前記容器本体２００と容器ふた３００は、ねじ結合されるかアンダーカット結合されることが望ましい。
【００６６】
前記塗布用スティック１００は、容器ふた３００の内側中央に一体に形成されるか結合されて下部に延長形成されているため、前記容器本体２００に容器ふた３００を結合して保管する際には、前記塗布用スティック１００が容器本体２００内部に収容されている接着剤に浸けられた状態になる。また、つけまつげ４００に接着剤を塗布する際に、前記容器ふた３００が取っ手の役割を果たすようになる。
【００６７】
また、前記容器ふた３００の外周縁には、図９又は図１０に示すように、多数の滑り止め突起３１０が形成されることができる。
【００６８】
前記滑り止め突起３１０は、容器本体２００と容器ふた３００がねじ結合された場合、使用者が前記容器本体２００から容器ふた３００を分離するために容器ふた３００を回転させる際、使用者の手が滑ることを防止するためのものである。
【００６９】
以上、本考案で説明したものは、つけまつげ接着剤塗布用スティックを実施するための一実施例に過ぎないもので、本考案は前記一実施例に限定されるものではない。添付された請求の範囲で請求するとおりに、本考案の要旨を逸脱することなく当該考案が属する分野で通常の知識を有する者であれば、誰でも多様な変更実施が可能な範囲まで本考案の範囲に属するものとみなされるべきものである。
【符号の説明】
【００７０】
１００：塗布用スティック    １１０：塗布用溝
１２０：空気流通ホール      １２２：空気孔
２００：容器本体            ２１０：収容空間
２２０：開口部              ３００：容器ふた
３１０：滑り止め突起
【図１】
0003201169.tif 000003
【図２】
0003201169.tif 000004
【図３】
0003201169.tif 000005
【図４】
0003201169.tif 000006
【図５】
0003201169.tif 000007
【図６】
0003201169.tif 000008
【図７】
0003201169.tif 000009
【図８】
0003201169.tif 000010
【図９】
0003201169.tif 000011
【図１０】
0003201169.tif 000012
【図１１】
0003201169.tif 000013
【手続補正書】
【提出日】平成27年9月17日(2015.9.17)
【手続補正１】
【補正対象書類名】実用新案登録請求の範囲
【補正対象項目名】全文
【補正方法】変更
【補正の内容】
【実用新案登録請求の範囲】
【請求項１】
つけまつげ（４００）に接着剤を塗布する塗布用スティック（１００）と、
前記塗布用スティック（１００）の下端に形成され、つけまつげ（４００）の接着面（４１０）に密着させて接着剤を塗布する塗布用溝（１１０）と、
前記塗布用スティック（１００）下部の内側に形成され、前記塗布用溝（１１０）と連結される空気流通ホール（１２０）と
を含むことを特徴とするつけまつげ接着剤塗布用スティック。
【請求項２】
前記塗布用スティック（１００）下部の一側には、前記空気流通ホール（１２０）と連結されて外部空気を流入させる空気孔（１２２）が形成され、前記空気孔（１２２）は１つ形成されて塗布用スティック（１００）の中央までのみ形成される、請求項１に記載のつけまつげ接着剤塗布用スティック。
【請求項３】
前記塗布用スティック（１００）下部には、前記空気流通ホール（１２０）と連結されて外部空気を流入させる空気孔（１２２）が形成され、前記空気孔（１２２）は１つ又は２つ形成されて塗布用スティック（１００）を貫通する、請求項１に記載のつけまつげ塗布用スティック。
【請求項４】
前記塗布用溝（１１０）の幅と深さは、０．３ｍｍないし１．２ｍｍに形成される、請求項１乃至３のいずれか一項に記載のつけまつげ接着剤塗布用スティック。
【請求項５】
前記塗布用溝（１１０）は、直線又は十字形態に形成される、請求項１乃至４のいずれか一項に記載のつけまつげ接着剤塗布用スティック。
【請求項６】
前記空気流通ホール（１２０）の長さは０．５ｍｍないし５．０ｍｍに形成され、前記空気流通ホール（１２０）の内径は０．７ｍｍないし２．０ｍｍに形成される、請求項１乃至５のいずれか一項に記載のつけまつげ接着剤塗布用スティック。
【請求項７】
前記塗布用スティック（１００）は、熱硬化性樹脂又は熱可塑性樹脂で形成され、前記熱硬化性樹脂は、エポキシ（ｅｐｏｘｙ）樹脂、アミノ樹脂、フェノール（ｐｈｅｎｏｌ）樹脂、ポリエステル（Ｐｏｌｙｅｓｔｅｒ）樹脂のうちいずれか一つ以上の材質からなり、前記熱可塑性樹脂は、ポリエチレン（Ｐｏｌｙｅｔｈｙｌｅｎｅ）、アクリル樹脂（Ａｃｒｙｌｉｃ）、ポリプロピレン（Ｐｏｌｙｐｒｏｐｙｌｅｎｅ）、ポリスチレン（Ｐｏｌｙｓｔｙｒｅｎｅ）、ポリビニルクロライド（Ｐｏｌｙｖｉｎｙｌ  ｃｈｌｏｒｉｄｅ）、ポリテトラフルオロエチレン、ナイロン（Ｎｙｌｏｎ）、ポリアセタール樹脂のうちいずれか一つ以上の材質からなる、請求項１乃至６のいずれか一項に記載のつけまつげ接着剤塗布用スティック。
【請求項８】
前記塗布用スティック（１００）は、接着剤が収容された容器本体（２００）を開閉する容器ふた（３００）の内側中央に形成される、請求項１乃至７のいずれか一項に記載のつけまつげ接着剤塗布用スティック。
【請求項９】
前記容器ふた（３００）の外周縁には、多数の滑り止め突起（３１０）が形成される、請求項８に記載のつけまつげ接着剤塗布用スティック。